(57)【要約】【課題】  各種情報の提供を受ける利用者の行動、すわなち、情報出力装置の表示部と利用者の位置関係に基づき、その利用者が欲する情報を適切な形式で適宜提供可能な情報出力装置を提供することを目的としている。【解決手段】  表示部４とこれに表示された情報を利用する利用者８との位置（距離または距離と角度）関係に応じて、制御部２は表示部４に表示される情報の粒度（表示される情報の詳細度合い）、情報数、スクロール速度又は周期等に基づき情報量を変化させる。具体的には、制御部２は利用者８と表示部４が近くにある場合、表示される情報量を多くするよう制御することとしたものである。【選択図】  図１
2006285157.tif 000002
【特許請求の範囲】
【請求項１】
情報を出力する出力手段と、
前記出力手段から所定の距離間隔で予め定められた複数の範囲において、前記出力手段に出力された情報を利用する利用者の有無を判断するとともに、存在していると判断したとき、利用者が存在する範囲を判断する判断手段と、
前記判断手段により、前記複数の範囲のうち、いずれかの範囲内に利用者が存在していると判断されている場合、前記利用者が存在する範囲が前記出力手段に近くなるにしたがって、段階的に前記出力手段に出力させる情報量を増加させるよう制御を行う制御手段と
を備えたことを特徴とする情報出力装置。
【請求項２】
情報を出力する出力手段と、
前記出力手段とこの出力手段に出力された情報を利用する利用者との距離を測定する測定手段と、
前記測定手段によって測定された利用者と出力手段との距離が、所定値以上であるとき前記出力手段に出力させる情報量を少なくし、前記所定値未満であるとき前記出力手段に出力させる情報量を多くするように制御を行う制御手段と
を備えたことを特徴とする情報出力装置。
【請求項３】
前記出力手段の所定位置を原点と定め、前記原点とこの原点を含む水平面上において前記利用者が存在している利用者位置とを結ぶ直線と、前記原点を含む水平面上において原点から前記出力手段に対して直交する直線とのなす角度が所定角度以上であるとき、前記制御手段は情報量を少なくするよう優先的に制御することを特徴とする請求項１又は請求項２に記載の情報出力装置。
【請求項４】
前記出力手段の所定位置を原点と定め、前記原点とこの原点を含む水平面上において原点から前記出力手段に対して直交する直線を含む垂直面上において前記利用者が存在している利用者位置を結ぶ直線と、前記垂直面上において前記原点から出力手段に対して垂直な直線とのなす角度が所定角度以上であるとき、前記制御手段は情報量を少なくするよう優先的に制御することを特徴とする請求項１乃至請求項３のいずれか１項に記載の情報出力装置。
【請求項５】
情報を出力する出力手段と、
前記出力手段に出力された情報を利用する利用者の位置を検出する検出手段と、
前記出力手段を基準とした所定範囲内を、複数のエリアに分割し、各エリアを、予め定められた複数のクラスのいずれかに分類してなるマップ、を記憶するマップ記憶手段と、
前記マップ記憶手段が記憶するマップと、前記検出手段の検出結果とに基づき、前記所定範囲内において利用者が存在する場合、その利用者が存在するエリアのクラスを判別する判別手段と、
前記所定範囲内において利用者が存在する場合、前記判別手段により判別されたクラスに対応した情報量の情報を、前記出力手段に出力させるよう制御を行う制御手段と
を備えたことを特徴とする情報出力装置。
【請求項６】
前記出力手段に出力されている情報を印刷する印刷手段と、
前記印刷手段による情報の印刷を指示する印刷指示入力手段と
を備え、
前記印刷指示入力手段を介して印刷指示がなされたとき、前記利用者の利用に属する情報を前記印刷手段が印刷することを特徴とする請求項１乃至請求項５のいずれか１項に記載の情報出力装置。
【発明の詳細な説明】
【技術分野】
【０００１】
本発明は、各種情報を、画面表示、音声による報知の態様等にて、出力可能な情報出力装置に関する。
【背景技術】
【０００２】
多くの情報がいたる所で発信されている現在において、人々はいたる所で情報出力装置を介して提供される情報に接している。
このように多くの情報を人々に提供する情報出力装置においては、情報の提供を受ける利用者に対して如何に効率良く情報を提供するかが重要であり、これに関する提案がなされている。
【０００３】
例えば、情報出力装置の利用者が注目する箇所は十分な大きさの文字で見やすく表示し、かつ、表示部全体で表示できる情報量を増やすことができる文章表示方法を実現可能な情報出力装置が提案されている。この情報出力装置は、表示部に表示する文章を固定文字数の行に分割、編集し、所定の行においては表示される文字の大きさを大きくし、これ以外の行においては小さな文字を表示するようにしている（例えば、特許文献１参照）。
【特許文献１】特開２００４−２４０３０１号公報
【発明の開示】
【発明が解決しようとする課題】
【０００４】
しかしながら、上記従来の情報出力装置による情報の提供は、利用者と情報出力装置の出力手段との位置関係という視点に立った考慮がなされたものではなく、換言すれば、情報出力装置本位の情報提供であり、必ずしも、利用者に対して効率良く情報を提供することができるものではなかった。
【０００５】
なぜなら、利用者の視力若しくは聴力、又は、出力手段から出力される情報の指向性能には限界があり、出力手段と利用者とが離れているとき、又は、出力手段から出力される情報が認識困難な位置に利用者がいるとき、詳細に提供される情報は、利用者にとって結局のところ認識することができず、あまり意味を持たないことが多いからである。
【０００６】
このことを、上記従来の情報出力装置を例に説明すれば、大きな文字とともに表示される小さな文字は、利用者にとって読解困難であり、これを表示するが故に、大きな文字の表示領域を限定することになるし、また、一度に多くの文字を表示させると、配置的にも煩雑な印象を利用者に与え、実際には有益な情報であっても、それを読むことに対して興味を失わせることとなり兼ねない。
【０００７】
本発明は、各種情報の提供を受ける利用者の行動、すわなち、利用者と情報出力装置の出力手段との位置関係に基づき、その利用者が欲する情報を適切な形式で適宜提供可能な情報出力装置を提供することを目的としている。
【課題を解決するための手段】
【０００８】
上記従来の課題に鑑みなされた本発明の情報出力装置では、出力手段と、これにより出力された情報を利用する利用者との位置関係に応じ、制御手段が、出力手段にて出力される情報の粒度（出力される情報の詳細度合い）、情報数、スクロール速度、出力周期等を調整し、出力される情報量を変化させる。
【０００９】
したがって、この発明によれば、出力手段から離れている利用者に対しては、提供可能な情報を確実に認識させることができ、これに基づきより詳細な情報を求めて近づいてきた利用者に対しては、より詳細な内容を提供することができる。
【００１０】
詳述すると、請求項１記載の情報出力装置は、情報を出力する出力手段と、出力手段から所定の距離間隔で予め定められた複数の範囲において、出力手段に出力された情報を利用する利用者の有無を判断するとともに、存在していると判断したとき、利用者が存在する範囲を判断する判断手段と、出力手段に出力させる情報量を制御する制御手段と、を備え、判断手段により、前記複数の範囲のうち、いずれかの範囲内に利用者が存在していると判断された場合、制御手段が、前記利用者が存在する範囲が出力手段に近くなるにしたがい、段階的に出力手段に出力させる情報量を増加させるよう制御を行う構成にされたものである。
【００１１】
このように構成された請求項１記載の情報出力装置によれば、出力手段と、これによって出力される情報を利用する利用者との距離を考慮した情報の出力が可能であり、利用者が出力手段から離れた位置で情報の提供を受けるにあたり、その情報の内容を認識し易い状態で出力できる。
【００１２】
また、請求項２記載の情報出力装置は、情報を出力する出力手段と、出力手段とこの出力手段に出力された情報を利用する利用者との距離を測定する測定手段と、測定手段によって測定された利用者と出力手段との距離が、所定値以上であるとき、出力手段に出力させる情報量を少なくし、前記所定値未満であるとき、出力手段に出力させる情報量を多くするように制御を行う制御手段と、を備えたことを特徴とするものである。
【００１３】
このように構成された請求項２記載の情報出力装置によれば、出力手段と、これによって出力される情報を利用する利用者との距離を考慮した情報の出力が可能であり、利用者が出力手段から離れた位置で情報の提供を受けるにあたり、その情報の内容を認識し易い状態で出力できる。
【００１４】
また、請求項３記載の情報出力装置は、出力手段の所定位置を原点と定め、原点とこの原点を含む水平面上において前記利用者が存在している利用者位置を結ぶ直線と、原点を含む水平面上において原点から出力手段に対して直交する直線のなす角度が所定角度以上であるとき、制御手段が、情報量を少なくするよう優先的に制御する構成にされた請求項１又は請求項２に記載の情報出力装置である。
【００１５】
このように構成された請求項３記載の情報出力装置によれば、利用者が、情報出力装置の出力手段の近くにいるものの、出力手段の左右方向からの視聴可能な範囲に制限があるため、その情報を視聴できず内容の認識が困難となる場合であっても、その情報の認識困難な利用者と出力手段との左右方向を含む位置関係をも考慮した情報の出力ができるので、情報の認識困難な位置にいる利用者に対し、情報の内容を認識し易い状態で出力でき、提供可能な情報をより確実に認識させることができるとともに、興味のある利用者に対しては、認識し易い位置への移動を促し、詳細な情報を提供することができる。
【００１６】
また、請求項４記載の情報出力装置は、出力手段の所定位置を原点と定め、原点とこの原点を含む水平面上において原点から出力手段に対して直交する直線を含む垂直面上において前記利用者が存在している利用者位置を結ぶ直線と、前記垂直面上において原点から出力手段に対して垂直な直線のなす角度が所定角度以上であるとき、制御手段が、情報量を少なくするよう優先的に制御する構成にされた請求項１乃至請求項３のいずれか１項に記載の情報出力装置である。
【００１７】
このように構成された請求項４記載の情報出力装置によれば、利用者が、情報出力装置の出力手段の近くにいるものの、出力手段の上下方向からの視聴可能な範囲に制限があるため、その情報を視聴できず内容の認識が困難となる場合であっても、その情報の認識困難な利用者と出力手段との上下方向を含む位置関係をも考慮した情報の出力ができるので、情報の認識困難な位置にいる利用者に対し、情報の内容を認識し易い状態で出力でき、提供可能な情報をより確実に認識させることができるとともに、興味のある利用者に対しては、認識し易い位置への移動を促し、詳細な情報を提供することができる。
【００１８】
なお、この原点を含む水平面上において原点から前記出力手段に対して直交する直線とは、後述する図６（ａ）に記載の原点Ｏと点Ｂを結ぶ直線をいう。具体的に、出力手段が、画面表示の形態で、情報出力を行う手段である場合には、水平面上において表示面に対して直交する直線を、前記出力手段に対して直交する直線とすることができる。また、出力手段が、音声出力の形態で、情報出力を行う手段である場合には、水平面上における出力方向（出力方向が広がりをもつ場合には、細分化した出力方向（ベクトル）の和）を、前記出力手段に対して直交する直線とすることができる。
【００１９】
また、請求項５記載の情報出力装置は、情報を出力する出力手段と、出力手段に出力された情報を利用する利用者の位置を検出する検出手段と、出力手段を基準とした所定範囲内を、複数のエリアに分割し、各エリアを、予め定められた複数のクラスのいずれかに分類してなるマップ、を記憶するマップ記憶手段と、マップ記憶手段が記憶するマップと、検出手段の検出結果とに基づき、前記所定範囲内において利用者が存在する場合、その利用者が存在するエリアのクラスを判別する判別手段と、前記所定範囲内において利用者が存在する場合、判別手段により判別されたクラスに対応した情報量の情報を、出力手段に出力させるように、制御を行う制御手段と、を備えたことを特徴とする。
【００２０】
このように構成された請求項５記載の情報出力装置によれば、出力手段と、これによって出力される情報を利用する利用者との位置関係を考慮した情報の出力が可能であり、利用者が出力手段から離れた位置で情報の提供を受けるにあたり、その情報の内容を認識し易い状態で出力できる。なお、前記各クラスと、情報量との関係は、利用前段階で予め定めておくことができる。
【００２１】
また、請求項６記載の情報出力装置は、出力手段に出力されている情報を印刷する印刷手段と、印刷手段による情報の印刷を指示する印刷指示入力手段とを備え、印刷指示入力手段を介して印刷指示がなされたとき、前記利用者の利用に属する情報を、印刷手段が印刷することを特徴とする請求項１乃至請求項５のいずれか１項に記載の情報出力装置である。
【００２２】
このように構成された請求項６記載の情報出力装置によれば、利用者が情報出力装置から提供された有意義な情報を、継続して保持することができ、利用者は、出力手段から離れた後においても、自らの記憶またはメモ等に頼らずしてこの有意義な情報を確実に利用することができる。また、この印刷された情報に基づき容易に再度アクセスすることができる。
【発明を実施するための最良の形態】
【００２３】
以下、本発明の情報出力装置の実施形態について、図面を用いて具体的に説明する。なお、本発明は、以下に記載の構成に限定されるものではなく、同一の技術的思想において種々の構成を採用することが可能であることは云うまでもない。
【００２４】
（実施形態１）
図１は、本発明が適用された情報出力装置１の構成を示す図である。図１に示すように、情報出力装置１は、ＣＰＵ、ＲＯＭ、ＲＡＭ等を備え、情報出力装置１の各動作（情報出力装置１全体）についての制御を行う制御部２と、利用者８に提供される各種情報等を記憶しておく、例えば、ハードディスクその他大容量記憶媒体からなる情報記憶部３と、情報記憶部３に記憶された利用者８に提供される各種情報を表示する表示部４と、表示部４から所定の距離間隔で予め定められた複数の範囲ａ，ｂにおいて、表示部４に表示された情報を利用する利用者８の有無を判断するとともに、利用者８が存在すると判断したとき、利用者８が存在する範囲を判断する位置検出部５と、利用者８が表示部４に触れた（表示部４に触れる程度に近接するように、例えば、手をかざすことを含む。以下、同じ）ことを検出する接触感知部６と、利用者８の利用に属する情報（利用者８により視認されている情報、又は、この情報を含む情報全体）を印刷する印刷部７と、から構成されている。
【００２５】
利用者に提供される各種情報は、制御部２により、電気通信回線等を介して受信され、制御部２は、受信した前記各種情報を、情報記憶部３に記憶していくよう構成されている。また、接触感知部６は、印刷部７による情報の印刷指示を入力する印刷指示入力手段としての機能を有し、制御部２は、表示部４に利用者８が触れたことを、接触感知部６からの入力信号に基づき検出すると、印刷部７に対して印刷指令を入力する。これにより、情報出力装置１では、印刷部７にて情報の印刷がなされる。また、位置検出部５は、公知の光学式のセンサにより構成されている。
【００２６】
図２は、表示部４から利用者８が情報の提供を受けようとしている態様を示した図であり、利用者８が表示部４から離れている状態を示したものである。
図２に示す状況下において、制御部２は、位置検出部５からの入力信号（上記判断結果）に基づき、表示部４から所定の距離間隔（例えば、５〜１５ｍ）で予め定められた範囲ｂに、利用者８が存在していると判断し、表示部４から離れた利用者８に提供可能な情報の概略を認識させるべく、概略コンテンツとして、その情報の大見出し、例えば、「新製品○○発売／￥ｘｘｘｘ」を、表示部４に表示させる。
【００２７】
なお、予め定めた範囲ａ，ｂに利用者８が存在していない場合には、範囲ｂに利用者８が存在しているとしたときの表示態様で、表示部４に、情報の大見出しを表示させる構成、又は、いずれの情報も、表示部４に表示しない構成のいずれかを採用することができる。後者の場合、省エネルギーを図れる。
【００２８】
また、表示部４が、情報をスクロール表示する構成であれば、概略コンテンツを表示するといった手法ではなく、表示部４に対するスクロール速度の設定を変更して、スクロール速度を抑えることで（例えば、１５秒／頁のスクロール速度）、単位時間当りに表示部４に表示される情報量を少なくし、離れている利用者８に対して情報を認識し易くしても良い。その他、表示部４が、情報を、周期的に切り替えて表示する構成であれば、表示部４に対する前記周期の設定を変更して、周期を長くすることで（例えば、１５秒／頁の周期）、単位時間当りに表示部４に表示される情報量を少なくし、離れている利用者８に対して情報を認識し易くしても良い。
【００２９】
また、図３は、表示部４から利用者８が情報の提供を受けようとしている態様を示した図であり、利用者８が表示部４の近くにいる状態を示したものである。
図３に示す状況下において、制御部２は、位置検出部５からの入力信号に基づき、表示部４から所定の距離間隔（例えば、０〜５ｍ）で予め定められた範囲ａに利用者８が存在していると判断し、表示部４の近くにいる利用者８に詳細な情報を認識させるべく、詳細コンテンツとして、例えば、「ｘｘ社は、ｘｘ月ｘｘ日／小型軽量でありながら多機能で高速処理可能な○○をｙｙ月ｙｙ日に発売することを発表した。」との、大見出し表示による情報の詳細な内容を、表示部４に表示させる。
【００３０】
なお、表示部４が、情報をスクロール表示する構成であれば、表示部４に対するスクロール速度の設定を変更して、スクロール速度を高め（例えば、１０秒／頁のスクロール速度）、単位時間当りに表示部４に表示される情報量を多くし、近くにいる利用者８に対して、素早く情報を認識できるようにしても良い。また、表示部４が、情報を、周期的に切り替えて表示する構成であれば、表示部４に対する前記周期の設定を変更して、周期を短くする（例えば、１０秒／頁の周期）ことで、単位時間当りに表示部４に表示される情報量を多くし、近くにいる利用者８に対して、素早く情報を認識できるようにしても良い。
【００３１】
また、図４は、利用者８の印刷指示に従って、表示部４に表示された情報を印刷している状態を示したものである。印刷は、上記のとおり利用者８が表示部４に触れることで、接触感知部６が制御部２に対して接触感知した旨の信号を入力し、これを受けた制御部２が、印刷部７に対して情報の印刷指令を入力することにより、なされる。
【００３２】
なお、エリアセンサ（図示せず）により利用者８が表示部４に触れる程度に近接する位置に手をかざしたことを検出し、検出したとき、利用者８が表示部４に触れたと見做し、制御部２が、印刷部７に情報の印刷指令を入力し、印刷部７が印刷を行うように、情報出力装置１を構成することもできる。かかる場合、直接、利用者８が表示部４に触れなくても印刷が開始されるため、表示部４をきれいな状態に保つことができる。
【００３３】
また、印刷する情報については、利用者８が表示部４に触れた時点において表示されている情報を、印刷するようにしても良いし、例えば、利用者８が離れているときに表示部４に表示した図２に示す情報に続けて、接近時に表示部４に表示した図３（図４）に示す情報、すなわち、一つのテーマに関連して階層付けられた情報の全てを、印刷するようにしても良い。また、印刷したものを、その後、持ち運ばなければならないこと、及び、利用者８の印刷物９に示された情報の利用方法を考慮すれば、印刷する情報については、利用者が選択可能に、情報出力装置１を構成すると好適である。
【００３４】
なお、上記説明では、表示部４からの範囲ａ，ｂのみを判断の基準としたが、基準となる表示部４からの距離間隔を、範囲ａ（例えば、０〜５ｍ）、範囲ｂ（例えば、５〜１５ｍ）、範囲ｃ（例えば、１５〜３０ｍ）と設定するとより好適である。
【００３５】
かかる構成によれば、例えば、利用者８が表示部４から距離が１５ｍ以上３０ｍ未満であるとき、表示部４に「大見出し」を表示し、距離が５ｍ以上１５ｍ未満であるとき「要約」を表示し、距離が５ｍ未満であるとき「全文（詳細）」を表示するように、情報出力装置１を構成することができる。したがって、この構成によれば、利用者８と表示部４との距離を考慮した上で、可能な限り多くの情報を利用者８に認識させることができる。また、「全文（詳細）」が表示されている状態で、利用者８が表示部４に触れたとき、その全文を印刷するように、この情報出力装置を構成すれば、利用者に情報を持ち運び可能に提供することができる。
【００３６】
また、本実施形態では、位置検出部５が、表示部４に表示された情報を利用する利用者８の有無を判断するとともに、利用者８が存在すると判断したとき、利用者８が存在する範囲を判断する（即ち、表示部４からの距離間隔の範囲内のいずれに利用者８が存在しているか否かを判断する）構成としたが、位置検出部５は、利用者８が存在すると判断したとき、表示部４から利用者８までの距離を測定し、その測定結果を制御部２に提供する構成にすることができる。
【００３７】
（実施形態２）
本実施形態２の情報出力装置１は、位置検出部５が、表示部４に表示された情報を利用する利用者８が存在するとき、表示部４から利用者８までの距離を測定し、その測定結果を制御部２に入力する構成にされ、制御部２が、図５に示すメインルーチンを実行する構成にされたものである。
【００３８】
制御部２は、図５に示すメインルーチンを実行すると、Ｓ１１０にて、位置検出部５から測定結果を取得し、その後、Ｓ１２０にて、前記取得した測定結果に基づき、表示部４からの距離ｂ以内に、利用者８が存在しているか否かを判断する。具体的に、制御部２は、位置検出部５から得られた測定結果が、利用者８が距離ｂより離れて存在することを示している場合、Ｓ１２０でＮｏと判断し、利用者８が距離ｂ以内に存在することを示している場合、Ｓ１２０でＹｅｓと判断する。また、制御部２は、位置検出部５から利用者８が存在しない旨の測定結果を得たとき、利用者８が距離ｂより離れて存在すると見做して、Ｓ１２０でＮｏと判断する。
【００３９】
なお、位置検出部５は、水平面上において表示部４の表示面に対して垂直な方向について、表示部４と利用者８との距離を測定する構成にされても良いし、表示部４の表示面の中心（原点Ｏ）からの距離を測定する構成にされても良い。表示部４の中心（原点Ｏ）からの距離を測定する場合には、Ｓ１２０での判断が、表示部４の中心（原点Ｏ）から半径ｂ以内に、利用者８が存在するか否かを判断する内容となる。
【００４０】
Ｓ１２０でＮｏと判断すると、制御部２は、Ｓ１２５に移行して、表示部４の画面をコンテンツ非表示の状態にする。その後、Ｓ１７０に移行して、電源オフの動作等により外部から当該メインルーチンの終了指示が入力されているか否か判断し、メインルーチンの終了指示が入力されている場合には（Ｓ１７０でＹｅｓ）、当該メインルーチンを終了し、終了指示が入力されていなければ（Ｓ１７０でＮｏ）、再びＳ１１０に移行して、最新の測定結果を、位置検出部５から取得する。
【００４１】
一方、Ｓ１２０でＹｅｓと判断すると、制御部２は、Ｓ１３０に移行し、測定結果に基づいて、表示部４と利用者８との距離が、距離ａより大きいか否かを判断する（ａ＜測定距離≦ｂ）。
【００４２】
そして、位置検出部５の測定結果（測定距離）が、不等式「ａ＜測定距離≦ｂ」を満足する場合には、Ｓ１３０でＹｅｓと判断して、Ｓ１３５に移行し、概要コンテンツを、表示部４に表示させる。なお、概要コンテンツとしては、図２に示すような「大見出し」を挙げることができる。
【００４３】
このようにして、情報量は少ないが利用者８には認識しやすい概要コンテンツを表示部４に表示させると、制御部２は、Ｓ１７０に移行し、終了指示が入力されていなければ、Ｓ１１０に移行して、再び、最新の測定結果を、位置検出部５から取得する。
【００４４】
また、位置検出部５の測定結果（測定距離）が、不等式「ａ＜測定距離≦ｂ」を満足しない場合には（Ｓ１３０でＮｏ）、利用者８が、表示部４からの距離ａ以内に存在するので、Ｓ１４０に移行し、接触感知部６からの入力信号に基づき、利用者８が、表示部４に触れているか否かを判断する。そして、利用者が表示部４に触れていないと判断すると（Ｓ１４０でＮｏ）、Ｓ１５０に移行し、詳細コンテンツを、表示部４に表示させる。なお、詳細コンテンツとしては、図３に示すような、「大見出し」より情報量の多い「詳細な情報」を挙げることができる。
【００４５】
このようにして、概要コンテンツより情報量が多いコンテンツを表示部４に表示させると、制御部２は、Ｓ１７０に移行し、終了指示が入力されていなければ、Ｓ１１０に移行して、再び、最新の測定結果を、位置検出部５から取得する。
【００４６】
一方、Ｓ１４０にて、利用者が表示部４に触れていると判断すると（Ｓ１４０でＹｅｓ）、制御部２は、Ｓ１６０に移行して、印刷部７に、詳細コンテンツを印刷するように指示する印刷指令を入力する。これにより印刷部７では、詳細コンテンツの印刷出力がなされて、印刷物９が利用者８に提供される。なお、Ｓ１４０でＹｅｓと判断する前には、基本的に、Ｓ１４０でＮｏと判断されて、詳細コンテンツが表示部４に表示されるので、Ｓ１６０では、表示部４に表示されている詳細コンテンツの印刷出力を行うことになる。
【００４７】
そして、Ｓ１６０での処理を終えると、制御部２は、Ｓ１７０での判断を行い、終了指示が入力されていなければ、Ｓ１１０に移行し、終了指示が入力されていれば、メインルーチンを終了する。
【００４８】
以上、本実施形態２の情報出力装置１の構成について説明したが、この情報出力装置１によれば、表示部４から所定の距離間隔で定められた複数範囲のいずれに利用者８が存在しているかを判断して、情報の表示態様を変更する実施形態１と同様の機能を発揮する。
【００４９】
すなわち、この情報出力装置１によれば、表示する情報が図２，３，４に示すものである場合、位置検出部５にて測定された距離と、「大見出し／詳細な情報」の閾値として予め定められた距離ａとを対比し、距離ａより大きいとき、表示部４への表示態様を「大見出し」（図２参照）とする一方、距離ａ以下であるとき、「詳細な情報」（図３参照）を表示するので、上記実施形態１と同様に、表示部４に表示される情報を利用する利用者８との距離を考慮した情報の出力が可能で、利用者の位置に応じて、情報を認識し易い状態で出力できる。
【００５０】
なお、本実施形態２においても、上述したように、閾値となる距離を、距離ａ，ｂ，ｃ等複数定めることができる。この場合には、利用者８と表示部４との距離を考慮した上で、可能な限り多くの情報を、利用者８に認識させることができる。
【００５１】
また、以上には、利用者８と表示部４との距離に応じて、表示態様を変更する実施形態について説明したが、表示部４が液晶ディスプレイ等で構成される場合には、表示面と視線とのなす角度によって、情報が認識しづらくなる場合がある。したがって、表示面と視線とのなす角度によって、表示態様（情報量）を変更するように、情報出力装置１を構成してもよい。
【００５２】
（実施形態３）
本実施形態３の情報出力装置１は、表示態様の決定を、利用者８と表示部４との距離に加え、表示部４の特性を考慮した上で行うことで、利用者８が確実に情報を認識できるようにしたものである。具体的には、距離、及び、表示部４の視野角の２要件に基づき表示態様を決定する。この機能は、表示部４が視野角の狭い液晶表示機である場合に、特に発揮される。
【００５３】
図６（ａ）は、利用者８と表示部４との位置関係を示す平面図（例えば、図２に示す位置関係にある利用者８及び表示部４を上側から見た図）であり、水平面について、表示部４と、原点Ｏと、後述する角度αｈ，βｈ，Θｈとの関係を示した説明図である。図６（ａ）における点Ａは、利用者８の位置（例えば一対の目の中心に対応する位置）を示す。
【００５４】
なお、図６（ａ）では、表示部４の表示面上の所定位置（本実施形態において水平方向の中心）を表示部４の原点Ｏとし、表示部４の特性として、左右方向の視野角を角度２βｈとしている。また、原点Ｏと原点Ｏを含む水平面上において存在する利用者８の位置Ａとを結ぶ直線ＯＡと、原点Ｏを含む水平面上において原点Ｏから表示部４に対して直交する直線ＯＢとのなす角を、角度Θｈとしている。
【００５５】
ここで、角度βｈに対して角度Θｈが十分小さく、表示部４からの距離ａ以内に、利用者８が存在すれば、表示部４には図３のように「詳細な情報」を表示しても、利用者８は位置Ｂに存在しているとき同様に表示部４に表示された情報を認識することができる。
【００５６】
一方、角度Θｈが角度βｈと近似していれば（但し、角度Θｈ＜角度βｈ）、利用者８にとって、表示部４に表示される文字等の情報を認識することは可能であったとしても、その正確な認識は極めて困難となる。
【００５７】
そこで、本実施形態３では、詳細コンテンツ（「詳細な情報」）を表示する閾値αｈを決定するために、実験的に、情報量（情報の粒度又は情報の数）と認識可能な限界の角度との関係を事前に求めて、閾値αｈを設定し（但し、αｈ≦βｈ）、これより角度Θｈが大きくなったときは、表示部４からの距離ａ内に利用者８が存在している場合においても、制御部２は、優先的に図２に示すような概略コンテンツ（「大見出し」）を表示する。
【００５８】
また、本実施形態３では、垂直方向についての角度Θｖに対しても、閾値αｖを設定する。図６（ｂ）は、利用者８と表示部４との位置関係を示す平面図（例えば、図２に示す位置関係にある利用者８と表示部４を側面から見た図）であり、水平面に垂直な面（垂直面）について、表示部４と、原点Ｏと、角度αｖ，βｖ，Θｖとの関係を示した説明図である。図６（ｂ）における点Ａは、利用者８の位置（例えば目に対応する位置）を示す。
【００５９】
なお、図６（ｂ）では、表示部４の表示面上の所定位置（本実施形態において垂直方向の中心）を表示部４の原点Ｏとし、表示部４の特性として、上下方向の視野角を角度２βｖとしている。また、原点Ｏと、原点Ｏを含む水平面上において原点Ｏから表示部４の表示面に対して直交する直線ＯＢを含む垂直面上に、射影した利用者８の位置Ａとを結ぶ直線ＯＡと、この垂直面上において原点Ｏから表示面に対して垂直な直線（表示面が高さ方向に平行に延びている場合には直線ＯＢに等しい）とのなす角を角度Θｖとしている。
【００６０】
本実施形態３では、閾値αｈと同様に、詳細コンテンツ（「詳細な情報」）を表示する上下方向の閾値αｖを決定するために、実験的に、情報量（情報の粒度又は情報の数）と認識可能な限界の角度との関係を事前に求めて、閾値αｖを設定し（但し、αｖ≦βｖ）、これより角度Θｖが大きくなったときは、表示部４からの距離ａ内に利用者８が存在している場合においても、制御部２は、優先的に図２に示すような概略コンテンツ（「大見出し」）を表示する。
【００６１】
なお、このような制御を実現するために、本実施形態３の位置検出部５には、本実施形態２に示す距離測定機能に加えて、角度Θｈ，Θｖを測定可能な機能が備わった位置検出装置を採用する。また、図５に示すメインルーチンのＳ１５０にて、図７に示すコンテンツ表示切替処理を実行するように、制御部２を構成する。
【００６２】
換言すると、本実施形態３の情報出力装置１は、実施形態２の情報出力装置１において、制御部２の構成を、Ｓ１５０にて、図７に示すコンテンツ表示切替処理を実行する構成にし、位置検出部５を、角度Θｈ，Θｖを含む測定結果を出力する位置検出部（装置）に変更する程度で完成するので、以下では、コンテンツ表示切替処理の詳細を、説明する程度に留める。なお、実施形態１の情報出力装置１において、位置検出部５からの入力信号に基づき、表示部４から所定の距離間隔（例えば、０〜５ｍ）で予め定められた範囲ａに利用者８が存在していると判断したとき、制御部２にて、コンテンツ表示切替処理を実行するようにしてもよい。
【００６３】
図７は、制御部２が、Ｓ１５０にて実行するコンテンツ表示切替処理を表すフローチャートである。コンテンツ表示切替処理を実行すると、制御部２は、Ｓ１５１にて、位置検出部５の測定結果が示す角度Θｈが角度αｈ以下であるか否かを判断する。そして、角度Θｈが角度αｈ以下ではない（角度Θｈが角度αｈより大きい）と判断すると（Ｓ１５１でＮｏ）、概略コンテンツ（「大見出し」）を表示部４に表示させる（Ｓ１５５）。その後、当該コンテンツ表示切替処理を終了する。
【００６４】
一方、角度Θｈが角度αｈ以下であると判断すると（Ｓ１５１でＹｅｓ）、Ｓ１５３に移行して、角度Θｖが角度αｖ以下であるか否かを判断する。そして、角度Θｖが角度αｖ以下ではない（角度Θｖが角度αｖより大きい）と判断すると（Ｓ１５３でＮｏ）、概略コンテンツ（「大見出し」）を表示部４に表示させる（Ｓ１５５）。その後、当該コンテンツ表示切替処理を終了する。
【００６５】
また、角度Θｖが角度αｖ以下であると判断すると（Ｓ１５３でＹｅｓ）、制御部２は、Θｈ≦αｈ及びΘｖ≦αｖが満足されるので、Ｓ１５７に移行して、詳細コンテンツ（「詳細な情報」）を表示部４に表示させる。その後、当該コンテンツ表示切替処理を終了する。
【００６６】
この情報出力装置１によれば、利用者８の位置が、Θｈ≦αｈ及びΘｖ≦αｖを満足しない場合、概略コンテンツが優先的に、表示部４に表示されるので、表示部４の特性から表示面の内容が視認しづらい場合であっても、利用者８に対して、情報を確実に認識させることができる。
【００６７】
なお、情報出力装置１の設置場所によっては、表示部４の左右方向からの視認のみを考慮すれば足りる場合、又は、上下方向からの視認のみを考慮すれば足りる場合もあるので、このような場合には、上下方向及び左右方向における閾値αｈ，αｖの両者を用いた制御を行う必要がないことは、云うまでもない。
【００６８】
その他、情報がスクロール表示される表示部４であれば、実験的に、スクロール速度と認識可能な限界の角度との関係を事前に求めて、左右方向又は上下方向における閾値を導出して、角度Θ（利用者８の視線）が閾値より大きくなった場合、単位時間当りに表示部４に表示される情報量を少なくし（例えば、１５秒／頁のスクロール速度）、視認し難い位置にいる利用者８が確実に情報を認識できるようにすると良い。
【００６９】
また、角度を考慮した情報出力装置１は、本実施形態３の構成に限定されず、その他の態様を採ることができる。
（実施形態４）
本実施形態４の情報出力装置１は、位置検出部５として、表示部４に表示された情報を利用する利用者８が存在するとき、利用者８の一対の目の間に対応する三次元位置座標を検出し、その検出結果を制御部２に入力する構成にされた位置検出装置を備え、更に、制御部２が、図８に示すメインルーチンを実行する構成にされたものである。
【００７０】
図８に示すメインルーチンを実行すると、情報出力装置１は、まずＳ２１０にて、位置検出部５から検出結果を取得する。なお、利用者８が存在する場合、位置検出部５は、検出結果として、利用者８の三次元位置座標を出力し、利用者８が存在しない場合には、検出結果として、利用者８が存在しない旨の情報を出力する。
【００７１】
Ｓ２１０にて、検出結果を位置検出部５から取得すると、制御部２は、Ｓ２２０に移行し、前記取得した検出結果に基づいて、表示部４からの距離ｂ以内に、利用者８が存在するか否かを判断する。具体的に、制御部２は、位置検出部５から得られた検出結果が、利用者８が距離ｂより離れて存在することを示している場合、Ｓ２２０でＮｏと判断し、利用者８が距離ｂ以内に存在することを示している場合、Ｓ２２０でＹｅｓと判断する。その他、制御部２は、位置検出部５から利用者８が存在しない旨の検出結果を得たとき、利用者８が距離ｂより離れて存在すると見做して、Ｓ２２０でＮｏと判断する。
【００７２】
なお、本実施形態４において、制御部２は、位置検出部５から検出結果として、利用者８の三次元位置座標（ｘ，ｙ，ｚ）が得られたとき、水平面上において表示部４の表示面に対し垂直な方向の距離を表すｙ値が、値ｂ以下であるか否かを判断することにより、表示部４からの距離ｂ以内に、利用者８が存在しているか否かを判断する。但し、制御部２は、利用者８の三次元位置座標（ｘ，ｙ，ｚ）に基づき、距離（ｘ2＋ｙ2＋ｚ2）1/2を求め、この距離が、値ｂ以下であるか否かを判断することにより、表示部４からの距離ｂ以内に、利用者８が存在しているか否かを判断する構成にすることができる。
【００７３】
また、本実施形態４では、表示部４の表示面上の中心を原点Ｏとして定めるとともに、ｙｚ平面を、表示部４の表示面に垂直に採り、ｚ軸を高さ方向に採り、ｘ軸及びｙ軸を水平面上に採る。また、ｘ軸を、表示面に沿って採る。具体的には、ｘ軸、ｙ軸、ｚ軸を、図６（ａ）（ｂ）に示すように定める。なお、本実施形態４においては、図６に示す点Ａが、利用者８の三次元位置座標（ｘ，ｙ，ｚ）を示し、点Ｂが、座標（０，ｂ，０）を示すものとする。
【００７４】
Ｓ２２０でＮｏと判断すると、制御部２は、Ｓ２２５に移行して、表示部４の画面をコンテンツ非表示の状態にする。その後、Ｓ２９０に移行して、電源オフの動作等により外部から当該メインルーチンの終了指示が入力されているか否か判断し、メインルーチンの終了指示が入力されている場合には（Ｓ２９０でＹｅｓ）、当該メインルーチンを終了し、終了指示が入力されていなければ（Ｓ２９０でＮｏ）、Ｓ２１０に移行して、最新の検出結果を、位置検出部５から取得する。
【００７５】
一方、Ｓ２２０でＹｅｓと判断すると、制御部２は、Ｓ２３０に移行して、検出結果が示す利用者の三次元位置座標（ｘ，ｙ，ｚ）に基づき、ｘｙ平面における基準線ＯＢと、原点Ｏと利用者の位置Ａとを結ぶ直線（換言すると、ベクトルＶｈ（ｘ，ｙ，０））とのなす角度Θｈを求める。なお、ここでは、角度Θｈを求めるといったが、本実施形態４では、コサイン値で代替する。
【００７６】
ｃｏｓΘｈ＝ｙ／｜Ｖｈ｜
｜Ｖｈ｜＝（ｘ2＋ｙ2）1/2
また、Ｓ２３０での処理を終えると、制御部２は、Ｓ２３５に移行し、検出結果が示す利用者の三次元位置座標（ｘ，ｙ，ｚ）に基づき、ｙｚ平面上において原点Ｏから表示面に対して垂直に延びるベクトル（０，α，β）と、ｙｚ平面上において原点Ｏと利用者の位置Ａとを結ぶ直線ＯＡ（換言すると、ベクトルＶｖ（０，ｙ，ｚ））とのなす角度Θｖを求める。なお、ここでは、角度Θｖを求めるといったが、本実施形態４では、コサイン値で代替する。
【００７７】
ｃｏｓΘｖ＝（α・ｙ＋β・ｚ）／（（α2＋β2）1/2・｜Ｖｖ｜）
｜Ｖｖ｜＝（ｙ2＋ｚ2）1/2
その他、Ｓ２３５での処理を終えると、Ｓ２４０に移行し、予め定められた角度βｈと、角度Θｈとを、コサイン値で比較し、ｃｏｓΘｈがｃｏｓβｈよりも小さいか否か（即ち、不等式ｃｏｓΘｈ＜ｃｏｓβｈを満足するか否か）を判断する。そして、ｃｏｓΘｈがｃｏｓβｈよりも小さいと判断すると（Ｓ２４０でＹｅｓ）、図６に示す角度Θｈが、角度βｈよりも大きいということを意味しているので、Ｓ２２５に移行し、表示部４の画面をコンテンツ非表示の状態にする。その後、Ｓ２９０に移行する。
【００７８】
一方、ｃｏｓΘｈがｃｏｓβｈ以上であると判断すると（Ｓ２４０でＮｏ）、制御部２は、Ｓ２４５に移行し、予め定められた角度βｖと、角度Θｖとを、コサイン値で比較する。具体的には、ｃｏｓΘｖがｃｏｓβｖよりも小さいか否か（即ち、不等式ｃｏｓΘｖ＜ｃｏｓβｖを満足するか否か）を判断する。そして、ｃｏｓΘｖがｃｏｓβｖよりも小さいと判断すると（Ｓ２４５でＹｅｓ）、図６に示す角度Θｖが、角度βｖよりも大きいということを意味しているので、Ｓ２２５に移行し、表示部４の画面をコンテンツ非表示の状態にする。その後、Ｓ２９０に移行する。
【００７９】
また、Ｓ２４５で、ｃｏｓΘｖがｃｏｓβｖ以上であると判断すると（Ｓ２４５でＮｏ）、制御部２は、Ｓ２５０に移行し、予め定められた角度αｈと、角度Θｈとを、コサイン値で比較し、ｃｏｓΘｈがｃｏｓαｈよりも小さいか否か（即ち、不等式ｃｏｓΘｈ＜ｃｏｓαｈを満足するか否か）を判断する。但し、本実施形態４においては、ｃｏｓαｈ＞ｃｏｓβｈの関係が成立するように、角度αｈ及びβｈが定められているものとする。
【００８０】
そして、ｃｏｓΘｈがｃｏｓαｈよりも小さいと判断すると（Ｓ２５０でＹｅｓ）、図６に示す角度Θｈが、角度βｈ以下で角度αｈよりも大きいことを意味しているので、Ｓ２６０に移行し、概要コンテンツを、表示部４に表示させる。なお、概要コンテンツとしては、図２に示すような「大見出し」を挙げることができる。
【００８１】
このようにして、情報量は少ないが利用者８には認識しやすい概要コンテンツを表示部４に表示させると、制御部２は、Ｓ２９０に移行し、終了指示が入力されていなければ、Ｓ２１０に移行して、再び、最新の検出結果を、位置検出部５から取得する。
【００８２】
一方、ｃｏｓΘｈがｃｏｓαｈ以上であると判断すると（Ｓ２５０でＮｏ）、制御部２は、Ｓ２５５に移行し、予め定められた角度αｖと、角度Θｖとを、コサイン値で比較する。具体的には、ｃｏｓΘｖがｃｏｓαｖよりも小さいか否か（即ち、不等式ｃｏｓΘｖ＜ｃｏｓαｖを満足するか否か）を判断する。但し、本実施形態４においては、ｃｏｓαｖ＞ｃｏｓβｖの関係が成立するように、角度αｖ及びβｖが定められているものとする。
【００８３】
そして、ｃｏｓΘｖがｃｏｓαｖよりも小さいと判断すると（Ｓ２５５でＹｅｓ）、図６に示す角度Θｖが、角度βｖ以下で角度αｖよりも大きいことを意味しているので、Ｓ２６０に移行し、概要コンテンツを、表示部４に表示させる。その後、Ｓ２９０に移行する。
【００８４】
その他、ｃｏｓΘｖがｃｏｓαｖ以上であると判断すると（Ｓ２５５でＮｏ）、角度Θｈが角度αｈ以下であって、角度Θｖが角度αｖ以下であることを意味しているので、Ｓ２７０に移行し、接触感知部６からの入力信号に基づき、利用者８が、表示部４に触れているか否かを判断する。そして、利用者が表示部４に触れていないと判断すると（Ｓ２７０でＮｏ）、Ｓ２７５に移行して、詳細コンテンツを、表示部４に表示させる。なお、詳細コンテンツとしては、図３に示すような、「大見出し」より情報量の多い「詳細な情報」を挙げることができる。
【００８５】
このようにして、概要コンテンツより情報量が多いコンテンツを表示部４に表示させると、制御部２は、Ｓ２９０に移行し、終了指示が入力されていなければ、Ｓ２１０に移行して、再び、最新の検出結果を、位置検出部５から取得する。
【００８６】
一方、Ｓ２７０にて、利用者が表示部４に触れていると判断すると（Ｓ２７０でＹｅｓ）、Ｓ２８０に移行して、印刷部７に、詳細コンテンツを印刷するように指示する印刷指令を入力する。これにより印刷部７では、詳細コンテンツの印刷出力がなされて、印刷物９が利用者８に提供される。そして、Ｓ２８０での処理を終えると、制御部２は、Ｓ２９０での判断を行い、終了指示が入力されていなければ、Ｓ２１０に移行し、終了指示が入力されていれば、当該メインルーチンを終了する。
【００８７】
この情報出力装置１によれば、表示部４への表示態様の決定を、利用者８の視線を考慮した上で行うので、利用者８に確実に情報を認識させることができる。すなわち、上述した角度αｈ，αｖ，βｈ，βｖを、表示部４の視野角に基づいて決定することで、表示部４の特性を考慮した表示態様の切替が可能となり、利用者８に確実に情報を認識させることができる。特に、表示部４が視野角の狭い液晶表示機である場合には、上述の効果が一層発揮される。
【００８８】
その他、表示部４と利用者８との位置関係に応じた表示態様の切替は、表示部４を基準とした所定範囲内を、複数のエリアに分割し、各エリアを、複数のクラスのいずれかに分類してマップを生成し、これを予め情報記憶部３に書き込んでおくことで、実現することができる。
【００８９】
（実施形態５）
本実施形態５の情報出力装置１は、位置検出部５として、表示部４に表示された情報を利用する利用者８が存在するとき、利用者８の二次元位置座標を検出し、その検出結果を制御部２に入力する構成にされた位置検出装置を備えるとともに、情報記憶部３に、図９に示すマップ（データファイル）を有し、更に、制御部２が、図１０に示すメインルーチンを実行する構成にされたものである。
【００９０】
まず、マップについて説明する。図９は、マップの構成を表す説明図である。このマップは、例えば、表示部４の表示面の中心（原点Ｏ）を、基準とした所定範囲内を、エリア毎に、クラス０、クラス１、クラス２のいずれかに分類してなるものである。
【００９１】
本実施形態５では、前記所定範囲を、マス目上に分割するとともに、分割した単位毎のエリアを、表示部４が配置される周囲の環境に応じて、コンテンツ非表示エリアに該当するクラス０、詳細コンテンツ表示エリアに該当するクラス１、概要コンテンツ表示エリアに該当するクラス２、のいずれかのクラスに分類する。この作業は、情報出力装置１の利用に先立って管理者等が行う。
【００９２】
例えば、表示部４近辺のエリア、及び、椅子等が配置されたエリアには、クラス１を割り当て、表示部４より若干離れたエリアには、クラス２を割り当て、通路等の人通りの多い場所には、クラス０を割り当てる。このような作業を経て、マップは生成され、通信等の形態で、情報記憶部３に格納される。
【００９３】
なお、マップは、パーソナルコンピュータ等で編集できるようにすればよく、例えば、クラス０のエリアを値「０」、クラス１のエリアを値「１」、クラス２のエリアを値「２」で表して、値を各エリアの配列に合わせて、記述することにより、マップを定義することができる。
【００９４】
このように構成されたマップを用いて、本実施形態５の情報出力装置１における制御部２は、図１０に示すメインルーチンを実行する。図１０は、このメインルーチンを表すフローチャートである。
【００９５】
メインルーチンを実行すると、制御部２は、まず、位置検出部５から検出結果を取得する（Ｓ３１０）。なお、利用者８が存在する場合、位置検出部５は、検出結果として、利用者８の二次元位置座標（ｘ，ｙ）を出力し、利用者８が存在しない場合には、検出結果として、利用者８が存在しない旨の情報を出力するものとする。また、本実施形態５では、表示部４の表示面上の中心を原点Ｏとして定めるとともに、ｘｙ平面を水平面に平行に採り、ｘ軸を、表示部４の表示面に沿って採り、ｙ軸を、水平面上において表示面に直交する方向に採る。具体的には、ｘ軸、ｙ軸を、図９に示すように定める。
【００９６】
Ｓ３１０での処理を終えると、制御部２は、検出結果に基づき、利用者８が存在するエリアのクラスを判定する（Ｓ３２０）。具体的に、位置検出部５から、利用者８が存在しない旨の検出結果が得られた場合には、利用者８の存在エリアを、クラス０と見做し判定する。一方、位置検出部５から、利用者８の二次元位置座標（ｘ，ｙ）が得られた場合には、その位置（ｘ，ｙ）に対応するエリアを識別し、識別したエリアのクラスを、マップに示された値に基づき判別する。
【００９７】
具体的に、位置座標（ｘ，ｙ）に対応するエリアが、マップにおいてクラス２に分類されている場合には、利用者の存在エリアを、クラス２と判定する。その他、位置座標（ｘ，ｙ）に対応するエリアが、マップにおいてクラス１に分類されている場合には、利用者の存在エリアを、クラス１と判定し、位置座標（ｘ，ｙ）に対応するエリアが、マップにおいてクラス０に分類されている場合には、利用者の存在エリアをクラス０と判定する。
【００９８】
このようにして、クラス判定を行うと、制御部２は、Ｓ３３０に移行し、利用者８の存在エリアの判定結果が、クラス１，２以外（すなわち、クラス０）であるか否かを判断する。そして、クラス１，２以外（クラス０）であると判断すると（Ｓ３３０でＹｅｓ）、Ｓ３３５に移行し、表示部４の画面をコンテンツ非表示の状態にする。
【００９９】
その後、Ｓ３８０に移行して、電源オフの動作等により外部から当該メインルーチンの終了指示が入力されているか否か判断し、メインルーチンの終了指示が入力されている場合には（Ｓ３８０でＹｅｓ）、当該メインルーチンを終了し、終了指示が入力されていなければ（Ｓ３８０でＮｏ）、Ｓ３１０に移行して、最新の検出結果を、位置検出部５から取得する。
【０１００】
一方、Ｓ３３０でＮｏと判断すると、制御部２は、Ｓ３４０に移行し、利用者８の存在エリアの判定結果が、クラス２であるか否かを判断する。そして、利用者８の存在エリアの判定結果が、クラス２であると判断すると（Ｓ３４０でＹｅｓ）、Ｓ３４５に移行し、概要コンテンツを、表示部４に表示させる。なお、概要コンテンツとしては、図２に示すような「大見出し」を挙げることができる。
【０１０１】
このようにして、情報量は少ないが利用者８には認識しやすい概要コンテンツを表示部４に表示させると、制御部２は、Ｓ３８０に移行し、終了指示が入力されていなければ、Ｓ３１０に移行して、再び、最新の検出結果を、位置検出部５から取得する。
【０１０２】
また、Ｓ３４０にて、利用者８の存在エリアの判定結果がクラス２ではないと判断すると（即ち、クラス１であると判断すると）、制御部２は、Ｓ３５０に移行し、接触感知部６からの入力信号に基づき、利用者８が、表示部４に触れているか否かを判断する。ここで、利用者が表示部４に触れていないと判断すると（Ｓ３５０でＮｏ）、制御部２は、Ｓ３６０に移行して、詳細コンテンツを、表示部４に表示させる。なお、詳細コンテンツとしては、図３に示すような、「大見出し」より情報量の多い「詳細な情報」を挙げることができる。
【０１０３】
このようにして、概要コンテンツより情報量が多いコンテンツを表示部４に表示させると、制御部２は、Ｓ３８０に移行し、終了指示が入力されていなければ、Ｓ３１０に移行して、再び、最新の検出結果を、位置検出部５から取得する。
【０１０４】
一方、Ｓ３５０にて、利用者が表示部４に触れていると判断すると（Ｓ３５０でＹｅｓ）、制御部２は、Ｓ３７０に移行して、印刷部７に、詳細コンテンツを印刷するように指示する印刷指令を入力する。これにより印刷部７では、詳細コンテンツの印刷出力がなされて、印刷物が利用者８に提供される。なお、マップが、図９に示すように構成されている場合、Ｓ３５０でＹｅｓと判断する前には、基本的に、Ｓ３５０でＮｏと判断されて、詳細コンテンツが表示部４に表示されるので、Ｓ３７０では、表示部４に表示されている詳細コンテンツの印刷出力を行うことになる。
【０１０５】
そして、Ｓ３７０での処理を終えると、制御部２は、Ｓ３８０での判断を行い、終了指示が入力されていなければ、Ｓ３１０に移行し、終了指示が入力されていれば、当該メインルーチンを終了する。
【０１０６】
このように構成された本実施形態５の情報出力装置１によれば、利用者８と表示部４との位置関係を、表示部４の周囲の環境を加味した上で評価して、表示態様を切り替えることができるので、利用者の位置に応じて、一層適切に、情報を認識し易い状態で出力できる。また、利用者８が表示部４に触れたとき、詳細コンテンツを印刷するように、情報出力装置１を構成しているので、利用者に情報を持ち運び可能に提供することができる。
【０１０７】
なお、マップを用いた実施形態は、本実施形態５に限定されるものではなく、様々な形態をとることができる。例えば、実施形態１の範囲ａ内においてこれを十分視認可能な範囲を図１１のように事前に求めておき、この範囲ｄ内に利用者８が存在する場合に限り、制御部２は図３のように表示することとし、これ以外の範囲ｅにあるときは「大見出し」を表示するようにすることもできる。
【０１０８】
また、本実施形態１〜５における情報出力装置１の制御部２は、表示部４に「大見出し」が表示された状態でこの情報を利用する利用者８が、情報量を少なく表示すると判断した位置に所定時間留まっているとき、所定時間経過する毎に表示部４に表示される情報量を多くしていくよう制御することもできる。すなわち、視力、聴力には個人差があり、例えば、範囲ａには存在しない利用者であっても、十分に表示部４に表示される情報を認識可能な場合もある。かかる構成によれば、このような利用者８に対しても確実に詳細な情報を提供することが可能である。
【０１０９】
更に、上記では、情報出力装置１から情報を、画面表示の形態で出力する場合について説明したが、音声の形態で、情報を出力しても良い。かかる場合、上記同様利用者８が情報出力装置１の出力部から離れていれば報知する音声を短くして情報量を少なくし、同じ情報を繰り返し報知することで利用者８に、情報を認識させた上で、これに基づき利用者８が近づいてきて長い情報であっても聞き取ることが可能となれば、詳細な内容を報知する構成とすればよい。そして、利用者８が接触感知部６に触れたとき、制御部２が、その音声情報を文字情報に変換し、利用者８が接触感知部６を介して印刷指示を入力した時点で変換された文字情報を印刷する構成とすれば、上記表示の場合と同様の機能、効果等を得ることができる。
【図面の簡単な説明】
【０１１０】
【図１】本発明の情報出力装置１の構成を示した図である。
【図２】実施形態１において、利用者８と表示部４との距離が離れている場合に、表示部４に表示される情報の態様を示した図である。
【図３】実施形態１において、利用者８と表示部４との距離が近づいている場合に、表示部４に表示される情報の態様を示した図である。
【図４】実施形態１において、表示部４に利用者８が接触し、表示部４に表示されている情報が印刷されている状態を示した図である。
【図５】実施形態２において制御部２が実行するメインルーチンを表すフローチャートである。
【図６】利用者８と表示部４との位置関係等を示した説明図である。
【図７】実施形態３において制御部２が実行するコンテンツ表示切替処理を表すフローチャートである。
【図８】実施形態４において制御部２が実行するメインルーチンを表すフローチャートである。
【図９】実施形態５において情報記憶部３が記憶するマップの構成を示した説明図である。
【図１０】実施形態５において制御部２が実行するメインルーチンを表すフローチャートである。
【図１１】変形例として利用者８が表示部４の近くにいる場合において情報の詳細な表示を行う範囲を示した平面図である。
【符号の説明】
【０１１１】
１…情報出力装置
２…制御部
３…情報記憶部
４…表示部
５…位置検出部
６…接触感知部
７…印刷部
８…利用者
【図１】
2006285157.tif 000003
【図２】
2006285157.tif 000004
【図３】
2006285157.tif 000005
【図４】
2006285157.tif 000006
【図５】
2006285157.tif 000007
【図６】
2006285157.tif 000008
【図７】
2006285157.tif 000009
【図８】
2006285157.tif 000010
【図９】
2006285157.tif 000011
【図１０】
2006285157.tif 000012
【図１１】
2006285157.tif 000013